(57)【要約】【課題】ゴルフクラブのロフト角等の設定値を正確に測定できるゴルフクラブの測定装置を提供する。【解決手段】ゴルフクラブの測定装置１は、基台３に設けたヘッド支持台１０と、ゴルフクラブ１００のライ角を所定の角度に設定可能なクラブ支持体２０と、ゴルフクラブをクラブ支持体２０に所定のライ角に支持してヘッド１０２をヘッド支持台１０に載置した状態でヘッドのロフト角を測定可能なロフト角測定装置１２とを備えている。ロフト角測定装置１２は、ヘッドのフェース面１０３の中心位置の上下方向の２点を利用してロフト角を測定可能なロフト角測定器３５と、ヘッド支持台１０に載置されたヘッドのフェース面の位置を調整可能とするフェース面位置調整機構とを有する。【選択図】図２
2010035597.tif 000002
【特許請求の範囲】
【請求項１】
基台に設けたヘッド支持台と、ゴルフクラブのライ角を所定の角度に設定可能なクラブ支持体と、ゴルフクラブを前記クラブ支持体に所定のライ角に支持してヘッドを前記ヘッド支持台に載置した状態でヘッドのロフト角を測定可能なロフト角測定装置とを備えたゴルフクラブの測定装置であって、
前記ロフト角測定装置は、ヘッドのフェース面の中心位置の上下方向の２点を利用してロフト角を測定可能なロフト角測定器と、前記ヘッド支持台に載置されたヘッドのフェース面の位置を調整可能とするフェース面位置調整機構と、を有することを特徴とするゴルフクラブの測定装置。
【請求項２】
前記ロフト角測定器は、前記フェース面の中心位置の上下方向における同距離でフェース面に当接可能な一対の測定突部を備えており、
前記フェース面に当接した一対の測定突部の差に基づいてロフト角を算出することを特徴とする請求項１に記載のゴルフクラブの測定装置。
【請求項３】
前記フェース面位置調整機構は、前記ヘッド支持台に載置した状態のヘッドのフェース面に対し直交する方向に移動可能な可動部材と、前記可動部材に設けられ、前記フェース面の中心位置の両サイドにおける同距離でフェース面に当接可能な平行突部と、を有することを特徴とする請求項１又は２に記載のゴルフクラブの測定装置。
【請求項４】
前記ヘッド支持台に載置されたヘッドのフェース面の中心位置を特定可能な当接部材を有することを特徴とする請求項１から３のいずれか１項に記載のゴルフクラブの測定装置。
【請求項５】
基台に設けたヘッド支持台と、
ゴルフクラブのライ角を所定の角度に設定可能なクラブ支持体と、
ゴルフクラブを前記クラブ支持体に所定のライ角に支持してヘッドを前記ヘッド支持台に載置した状態でヘッドのロフト角を測定可能なロフト角測定装置と、
前記ロフト角測定装置によるロフト角測定位置からヘッドのトウ側端部までの距離を設定して、ヘッドのトウ・ヒール方向の位置決めを果たすトウ側支持機構と、
を有することを特徴とするゴルフクラブの測定装置。
【請求項６】
基台に設けたヘッド支持台と、
ゴルフクラブのライ角を所定の角度に設定可能なクラブ支持体と、
ゴルフクラブを前記クラブ支持体に所定のライ角に支持してヘッドを前記ヘッド支持台に載置した状態でヘッドのロフト角を測定可能なロフト角測定装置と、
前記ヘッド支持台にヘッドを載置した状態で、ヘッドがバック側に移動することを防止するバック側支持機構と、
を有することを特徴とするゴルフクラブの測定装置。
【請求項７】
ゴルフクラブのヘッドのフェース面の中心位置に対し、両サイドにおける同距離の２点を利用してフェース面の位置を調整するフェース面位置調整工程と、
前記フェース面位置調整工程によって調整したフェース面の中心位置に対し、上下方向における同距離の２点を利用してロフト角を測定するロフト角測定工程と、
を有することを特徴とするゴルフクラブの測定方法。
【請求項８】
前記フェース面の位置を調整する際、及び前記ロフト角を測定する際、前記ヘッドのトウ側、及びバック側の位置を規制するヘッド位置規制工程を有することを特徴とする請求項７に記載のゴルフクラブの測定方法。
【発明の詳細な説明】
【技術分野】
【０００１】
本発明は、ゴルフクラブにおける各種の設定値（ロフト角、ライ角、ソール角、フェース角、フェースプログレッション等）を測定するゴルフクラブの測定装置、及び測定方法に関する。
【背景技術】
【０００２】
従来、製造したゴルフクラブが、設計した通りになっているか否かを検査するために、例えば、特許文献１に開示されているような測定装置を用いて、ロフト角やライ角等、各種の設定値を測定することが行われている。
【０００３】
この公知の測定装置は、基台上に設けられ、ゴルフクラブを所定のライ角で設置可能なクラブ支持体と、基台上に設けられ、Ｙ方向に移動可能に設置されたＹ方向摺動体と、前記Ｙ方向摺動体上に設けられ、Ｘ方向に移動可能に設置されたＸ方向摺動体とを備えている。そして、前記Ｘ方向摺動体上には、分度器が設置されており、この分度器は前記摺動体によってＸ方向及びＹ方向に移動可能となっている。
【０００４】
上記した測定装置を用いてアイアンクラブのロフト角を測定する場合、アイアンクラブを、基台の基準面から浮かした状態でクラブの姿勢を変えることなくクラブ支持体によって支持しておき、分度器の定規の一端の腕をフェース面に当接させた状態で、他端の腕が示す数値を読むことで測定する。また、ウッドクラブのロフトを測定する場合、ウッドクラブを、前記クラブ支持体によって支持すると共に、ヘッドを、Ｙ方向摺動体に対してＸ方向に摺動自在に着脱したヘッド支持体に載置しておき、アイアンクラブと同様、分度器の定規の一端の腕をフェース面に当接させた状態で、他端の腕が示す数値を読むことで測定する。
【特許文献１】特開２００１−１２９１２８号
【発明の開示】
【発明が解決しようとする課題】
【０００５】
上記した特許文献１に開示された測定装置は、ロフト角を測定するとき、ヘッドが確実な固定状態となっていないため、分度器の定規の一端の腕をフェース面に当接させて測定する際、ヘッドが動き易く、正確な角度を測定し難いという問題がある。
【０００６】
また、ウッドクラブのヘッドの場合、フェース面は湾曲状になっているため、定規の一端の腕をフェース面に当てつけた際、線当たり状態ではなく、点当たり状態となってしまう。このため、点当たりとなっている位置の上下においてフェース面との角度が等しくなっていることを目視によって判断（接線を目視によって判断）し、この状態でロフト角を測定するため、測定者の測定技量によってバラ付きが大きくなり易く、正確な測定結果が得られないという問題がある。さらに、フェース面のトウ・ヒール方向の向きを測定する場合（フェース角の測定）においても、ロフト角の場合と同様、目視で判断するか、或いは、そのような判断をすることなく角度測定をするため、正確な測定結果が得られないという問題がある。
【０００７】
本発明は、上記した問題に着目してなされたものであり、ゴルフクラブのロフト角等の設定値を正確に測定でき、また、測定者の技量に関係なく容易に測定できるゴルフクラブの測定装置、及び、前記設定値を正確、かつ容易に測定できる測定方法を提供することを目的とする。
【課題を解決するための手段】
【０００８】
上記した目的を達成するために、本発明に係るゴルフクラブの測定装置は、基台に設けたヘッド支持台と、ゴルフクラブのライ角を所定の角度に設定可能なクラブ支持体と、ゴルフクラブを前記クラブ支持体に所定のライ角に支持してヘッドを前記ヘッド支持台に載置した状態でヘッドのロフト角を測定可能なロフト角測定装置とを備えており、前記ロフト角測定装置は、ヘッドのフェース面の中心位置の上下方向の２点を利用してロフト角を測定可能なロフト角測定器と、前記ヘッド支持台に載置されたヘッドのフェース面の位置を調整可能とするフェース面位置調整機構と、を有することを特徴とする。
【０００９】
上記した構成のゴルフクラブの測定装置においては、フェース面の位置の調整により、フェース面を所望の状態にセットすることが可能となり、これによりリアルロフト角の測定が可能となる。また、フェース面の中心位置の上下方向の２点を利用してロフト角の測定ができるため、目視による判断をする必要がなくなり、正確なロフト角を精度良く測定することが可能となる。
【００１０】
また、本発明に係るゴルフクラブの測定装置は、基台に設けたヘッド支持台と、ゴルフクラブのライ角を所定の角度に設定可能なクラブ支持体と、ゴルフクラブを前記クラブ支持体に所定のライ角に支持してヘッドを前記ヘッド支持台に載置した状態でヘッドのロフト角を測定可能なロフト角測定装置と、前記ロフト角測定装置によるロフト角測定位置からヘッドのトウ側端部までの距離を設定して、ヘッドのトウ・ヒール方向の位置決めを果たすトウ側支持機構と、を有することを特徴とする。
【００１１】
上記した構成のゴルフクラブの測定装置においては、トウ側支持機構によってヘッドの位置を正確に固定、セットできるため、正確なロフト角を精度良く測定できると共に、測定作業がし易くなって、測定効率を向上することが可能となる。
【００１２】
また、本発明に係るゴルフクラブの測定装置は、基台に設けたヘッド支持台と、ゴルフクラブのライ角を所定の角度に設定可能なクラブ支持体と、ゴルフクラブを前記クラブ支持体に所定のライ角に支持してヘッドを前記ヘッド支持台に載置した状態でヘッドのロフト角を測定可能なロフト角測定装置と、前記ヘッド支持台にヘッドを載置した状態で、ヘッドがバック側に移動することを防止するバック側支持機構と、を有することを特徴とする。
【００１３】
上記した構成のゴルフクラブの測定装置においては、バック側支持機構によってヘッドの位置を正確に固定、セットできるため、正確なロフト角を精度良く測定できると共に、測定作業がし易くなって、測定効率を向上することが可能となる。
【００１４】
また、上記した目的を達成するために、本発明におけるゴルフクラブの測定方法は、ゴルフクラブのヘッドのフェース面の中心位置に対し、両サイドにおける同距離の２点を利用してフェース面の位置を調整するフェース面位置調整工程と、前記フェース面位置調整工程によって調整したフェース面の中心位置に対し、上下方向における同距離の２点を利用してロフト角を測定するロフト角測定工程と、を有することを特徴とする。
【００１５】
上記した構成のゴルフクラブの測定方法においては、フェース面の位置調整工程によって、フェース面を所望の状態にセットすることが可能となり、これにより、リアルロフト角の測定が可能となる。また、ロフト角測定工程では、フェース面の中心位置の上下方向の２点を利用してロフト角を測定するため、目視による判断をする必要がなくなり、正確なロフト角を精度良く測定することが可能となる。
【発明の効果】
【００１６】
本発明のゴルフクラブの測定装置、及び測定方法によれば、ゴルフクラブのロフト角等の設定値を正確に測定でき、また、測定者の技量に関係なく容易に測定することが可能となる。
【発明を実施するための最良の形態】
【００１７】
以下、本発明の実施の形態について添付図面を参照して詳細に説明する。
【００１８】
図１から図４は、本発明に係るゴルフクラブの測定装置の一実施形態を示す図であり、図１は、ゴルフクラブをセットした状態の正面図、図２は、ゴルフクラブをトウ側から見た左側面図、図３は、ロフト角測定装置部分の拡大平面図、そして、図４は、ロフト角測定装置部分の拡大斜視図である。
【００１９】
本実施形態に係るゴルフクラブの測定装置（以下、測定装置と称する）１は、基台３、基台３上に設置されるライ角測定装置５、第１可動台７、第２可動台８、第３可動台９、ヘッド支持台１０、ロフト角測定装置１２、トウ側支持機構１４及びバック側支持機構１５等を備えている。  
以下、これらの構成部材について詳細に説明する。
【００２０】
Ａ．基台３の構成
基台３は、上記したライ角測定装置５、第１可動台７、第２可動台８、第３可動台９、ヘッド支持台１０、ロフト角測定装置１２、トウ側支持機構１４及びバック側支持機構１５等を設置すると共に、基準となる面（水平面）を規定するものであり、第１基台３Ａ、及び第１基台３Ａ上に一体的に固定される第２基台３Ｂとを備えている。
【００２１】
前記第１基台３Ａ上には、ライ角測定装置５が取り付けられている。また、前記第２基台３Ｂ上には、上記した第１可動台７、第２可動台８、第３可動台９、ヘッド支持台１０、ロフト角測定装置１２、トウ側支持機構１４及びバック側支持機構１５が取り付けられている。
【００２２】
Ｂ．ライ角測定装置５の構成
ライ角測定装置５は、上記したように、第１基台３Ａ上に取り付けられており、ゴルフクラブを支持するクラブ支持体２０と、クラブ支持体２０に設けられ、ゴルフクラブ１００のシャフト１０１を保持する保持部（例えば、Ｖ溝のような保持面によって構成される）２１と、保持部２１に載置したシャフト１０１を固定するシャフト固定装置（例えば、空気圧によってシャフトを保持面に押え付ける加圧装置）２３とを備えている。
【００２３】
加圧装置２３は、保持部２１に載置されたシャフト１０１を押え付けるアーム２３ａと、アーム２３ａの先端に設けられシャフトを押圧係止するシャフト係止部２３ｂとを備えており、加圧源２３Ａからホース２３ｃを介して送り込まれる空気によってアーム２３ａを回動させ、シャフト係止部２３ｂによって、シャフト１０１を保持部２１に押え付けて固定する。なお、加圧源２３Ａは、操作部となるレバー２３Ｂを回動操作することで、アーム２３ａに対する加圧状態がＯＮ／ＯＦＦされ、これにより、ゴルフクラブのシャフト１０１は、保持部２１に対して取り外し自在となっている。
【００２４】
また、前記ライ角測定装置５は、第１基台３Ａに設置された固定板２４を備えており、この固定板２４には、円弧状に角度設定目盛り板（計測目盛り）２４Ａが設けられている。そして、前記クラブ支持体２０は、この計測目盛り２４Ａに沿って回動可能に支持されており、クラブ支持体２０に設けられたライ角設定係止用ノブ２５を緩めることにより、クラブ支持体２０は、計測目盛り２４Ａに沿って回動可能となっている。また、ライ角設定係止用ノブ２５を締め付けることで、クラブ支持体２０は固定される。このため、加圧装置２３によって前記保持部２１に押え付けられたゴルフクラブ１００は、クラブ支持体２０の回動調整により、予め特定されているライ角（設計値のライ角）に設定した状態で、その位置が固定される。
【００２５】
Ｃ．第１可動台７の構成
第１可動台７は、前記第２基台３Ｂ上に移動可能に設けられている。第２基台３Ｂ上には、載置されるゴルフクラブのヘッド１０２のトウ・ヒール方向（左右方向）に延出するように一対のレール３ａが設けられており、この一対のレール３ａに、第１可動台７の裏面に設けられた一対の係合部７ａを係合させることで、第１可動台７は、第２基台３Ｂ上で、ヘッド１０２のトウ・ヒール方向に移動可能となっている。
【００２６】
なお、第１可動台７を移動させるレール３ａ及び係合部７ａの構成については、凹溝と突部の係合など、適宜変形することが可能である。
【００２７】
Ｄ．第２可動台８の構成
第２可動台８は、前記第１可動台７上の前方領域に移動可能に設けられている。第１可動台７上には、載置されるゴルフクラブのヘッド１０２のフェース・バック方向（前後方向）に延出するように一対の係合部７ｂが設けられており、この一対の係合部７ｂに、第２可動台８の裏面に設けられた一対のレール８ａを係合させることで、第２可動台８は、第１可動台７上で、ヘッド１０２のフェース・バック方向に移動可能となっている。
【００２８】
なお、第２可動台８を移動させる係合部７ｂ及びレール８ａの構成については、凹溝と突部の係合など、適宜変形することが可能である。
【００２９】
Ｅ．第３可動台９の構成
第３可動台９は、前記第２可動台８上に移動可能に設けられている。第２可動台８上には、載置されるゴルフクラブのヘッド１０２のトウ・ヒール方向に延出するように一対の係合部８ｂが設けられており、この一対の係合部８ｂに、第３可動台９の裏面に設けられた一対のレール９ａを係合させることで、第３可動台９は、第２可動台８上で、ヘッド１０２のトウ・ヒール方向に移動可能となっている。
【００３０】
なお、第３可動台９を移動させる係合部８ｂ及びレール９ａの構成については、凹溝と突部の係合など、適宜変形することが可能である。
【００３１】
Ｆ．ヘッド支持台１０の構成
ヘッド支持台１０は、前記第１可動台７上において、ヘッド１０２のフェース・バック方向に移動する第２可動台８の後方側に設置されており、ゴルフクラブのヘッド１０２を載置する。すなわち、前記ライ角測定装置５のクラブ支持体２０に設置されたゴルフクラブのヘッド１０２を載置するよう構成され、ゴルフクラブ１００をクラブ支持体２０に対して所定のライ角に設定する際、ヘッド支持台１０は、第１可動台７を、第２基台３Ｂ上でトウ・ヒール方向に移動させることで一体的に移動可能となっている。これにより、ヘッド１０２は、最適な位置でヘッド支持体１０上に載置される。
【００３２】
なお、ヘッド支持台１０は、載置されるゴルフクラブのヘッド１０２のソール形状に応じて、上下方向に複数設置されていても良い。本実施形態では、図２に示すように、ヘッド支持台１０は、着脱可能となるように２つ設置（符合１０ａ，１０ｂで示す）されており、載置されるヘッド１０２のソール形状に応じて、支持台１０ａ，１０ｂのいずれかを適用することが可能となっている。
【００３３】
Ｇ．ロフト角測定装置１２の構成
ロフト角測定装置１２は、ヘッドのトウ・ヒール方向に移動する第３可動台９上に設置され、第３可動台９上に一体的に固定される略直方体形状の支柱３０と、支柱３０に対して、上下方向に摺動可能に設置される支持部材３１とを備えている。
【００３４】
支持部材３１は、複数の支持体（ブロック体）３２，３３，３４が組み合わされることで構成されており、これらの支持体３２，３３，３４は、一体的に支柱３０に対して上下方向に移動可能となっている。
【００３５】
前記支持体３２は、支柱３０に配設されている上下動ノブ３０ａを回転操作することで支柱３０に対して上下方向に駆動される。この場合、支柱３０のヘッド側の表面には、目盛り（図示せず）が設けられており、支持体３２に設けられた矢印（図示せず）と目盛りを見ながら、上下動ノブ３０ａを回転操作することにより、支持体３２の高さ位置が調整される。なお、支柱３０には、係止ノブ３０ｂが設置されており、前記上下動ノブ３０ａを回転操作して支持体３２が所望の高さとなったとき、係止ノブ３０ｂを締め付けることで、支持体３２の高さ位置が固定される。
【００３６】
また、支持体３２には、ヘッドの前後方向に沿って係止溝（図示せず）が形成されており、この部分に支持体３３が係合されている。支持体３３は、支持体３２に設けられた前後動ノブ３２ａを回転操作することで、支持体３２に対して前後方向に移動可能となっている。この場合、支持体３３は、図４に示すように、コの字状に形成されており、トウ・ヒール方向に延出する支持体３４に対して干渉しないように前後方向に移動可能となっている。
【００３７】
そして、支持体３２に対して前後方向に移動する支持体３３は、ロフト角測定器３５を保持している。ロフト角測定器３５は、ヘッド１０２のフェース面１０３の中心位置Ｃの上下方向の２点を利用してロフト角を測定可能にするものであり、後述する中央ピン５０（フェース面の中心位置を特定可能な当接部材）の下方に設けられる下ピン３６（下方の測定突部）と協働して、ロフト角を算出する際に操作される上ピン（上方の測定突部）３７を備えている。
【００３８】
この上ピン３７は、ロフト角測定器３５を貫通して、ヘッドの前後方向に摺動可能となっており、ヘッドのフェース面１０３に先端が当接した際、同様にフェース面１０３に先端が当接した状態にある下ピン３６との差分を計測して、フェース面の中心位置Ｃにおけるロフト角を表示部３５ａに表示させる。
【００３９】
具体的には、下ピン３６と上ピン３７は、前記中央ピン５０に対して、上下方向で同距離（本実施形態では、中央ピン５０に対して、上下方向１１ｍｍ）に設置されており、支持体３３を前後動させた際、一体的に前後動される。そして、支持体３３をフェース面１０３に近づくように移動させ、下ピン３６と上ピン３７の先端がフェース面１０３に当接した際、両者の前後方向での差分を計測することにより、中央ピン５０の位置におけるフェース面（中心位置）の接線角度、すなわち、ロフト角を算出することが可能となっている。なお、この上下ピンの間隔は、測定精度を考えると１５〜３２ｍｍが好ましい。
【００４０】
なお、下ピン３６は支持体３３に固定されており、上ピン３７は、フェース面側に向けて付勢された状態でロフト角測定器３５に貫通保持されている。このため、支持体３３をフェース面側に移動させて、下ピン３６の先端がフェース面１０３に当接すると、上ピン３７は、フェース面１０３に突き当てられて付勢力に抗してフェース面から離れる方向に移動するため、その移動量を検知することで差分を計測することが可能となっている。
【００４１】
前記ロフト角測定器３５には、ＯＮ／ＯＦＦボタン３５Ａ、クリアボタン３５Ｂ及び計測実行ボタン３５Ｃが設けられており、下ピン３６の先端がフェース面１０３に当接したときに、計測実行ボタン３５Ｃを押圧操作することで、上ピン３７の移動量（両者の差分）が計測され、具体的なロフト角が表示部３５ａに表示される。もちろん、表示部３５ａでは、単に、差分情報のみが表示される構成であっても良い。
【００４２】
前記支持体３４は、支持体３２と一体化されており、支持体３２に対してトウ・ヒール方向に延出する板状に構成されている。支持体３４に対しては、上記したように、支持体３３が前後方向に移動できるようになっており（図４参照）、その前面には、中央ピン５０が突没可能に設けられている。また、中央ピン５０の両サイドには、同距離（本実施形態では、中央ピン５０に対して、左右方向１８ｍｍ）に、サイドピン（平行突部）５１，５２が設置されている。このサイドピン５１，５２は、互いに平行で、先端の突出位置が同じとなるように、支持体３４の前面に突設されている。なお、このサイドピン５１，５２の間隔は、精度とフェース向きを固定する役割を考えると、２４〜４８ｍｍが好ましい。
【００４３】
従って、上記した第２可動台８を移動させ、サイドピン５１，５２の先端が、同時にヘッド支持台１０に載置されているヘッド１０２のフェース面１０３に当接した状態にヘッド位置を調整すると、ヘッド支持台１０に載置されているヘッド１０２は、そのフェース面が０度（フェース角が０度）に設定される。すなわち、第２可動台８、及び支持体３４に設けられているサイドピン５１，５２は、ヘッド支持台１０に載置されているヘッド１０２のフェース面１０３の位置を調整するフェース面位置調整機構としての機能を備えている。
【００４４】
Ｈ．トウ側支持機構１４の構成
トウ側支持機構１４は、ヘッド支持台１０に載置されているヘッド１０２のトウの縁部１０５に当接するトウ側支持板６０を備えている。このトウ側支持板６０は、ヘッド１０２の前後方向に延出するアーム６１の先端領域に固定されており、アーム６１の基端部は、前記第３可動台９の表面に設けられたブロック６５に対して移動可能に設置されている。このブロック６５は、ヘッドのトウ・ヒール方向に沿って設けられており、トウ側支持板６０の具体的な位置を設定する機能を備えている。
【００４５】
具体的には、図４に示すように、ブロック６５には、ヘッドのトウ・ヒール方向に沿って長溝６５ａが形成されると共に、貫通孔６５ｂが形成されている。前記アーム６１の基端部６１ａは、抜け止めされた状態で長溝６５ａに係合しており、かつ基端部６１ａに設けられたノブ６１ｂが貫通孔６５ｂから突出されている。すなわち、ノブ６１ｂを操作することで、アーム６１の基端部６１ａは、ブロック６５に形成された長溝６５ａに沿って移動するようになっている。また、ノブ６１ｂを回転操作することにより、アーム６１の位置（トウ側支持板６０の位置）を固定できるようになっている。
【００４６】
そして、前記ブロック６５の表面には、ヘッドのトウ・ヒール方向に沿って目盛り６７が設けられており、ブロック６５に沿って移動するアーム６１の位置（トウ側支持板６０の位置）を具体的に特定できるようになっている。
【００４７】
前記目盛り６７は、上記した中央ピン５０のトウ側からの位置を具体的に定めたものであり、例えば、ヘッド１０２の中心位置がトウ側から設計値として定められていれば、その設計値に合わせてアーム６１の位置を目盛り６７に設定することで、中央ピン５０は、自動的にフェース面１０３の中心位置に位置付けられる。すなわち、アーム６１の位置を目盛り６７の所定位置（設計値に合わせた位置）にセットしておき、この状態で第３可動台９を移動し、トウ側支持板６０をヘッド１０２のトウの縁部１０５に当接させることで、中央ピン５０はフェース面１０３の中心に位置付けされ、ヘッドのトウ・ヒール方向の位置を正確にセットすることが可能となる。
【００４８】
Ｉ．バック側支持機構１５の構成
バック側支持機構１５は、ヘッド支持台１０に載置されているヘッド１０２のバックの縁部１０６に当接するバック側支持板７０を備えている。このバック側支持板７０は、前記第１可動台７の後方側に設けられている固定ブロック７１に対して前後方向に移動可能に設けられた移動体７２に設置されている。移動体７２には、固定ノブ７２ａが設けられており、この固定ノブ７２ａを回転操作することで、移動体７２を摺動可能にすると共に、その位置を固定するようになっている。すなわち、バック側支持板７０によって、ヘッドの後方向への移動を規制して、ヘッドの位置を正確にセットすることが可能となる。
【００４９】
次に、上記した測定装置１を用いて、ゴルフクラブ１００のヘッド１０２のロフト角を測定する工程例について説明する。
【００５０】
ゴルフクラブ１００の設置に際しては、まず、クラブ支持体２０を、計測目盛り２４Ａを見ながら回動させ、ライ角が予め特定されている設定値（設計値）になったときにライ角設定係止用ノブ２５を締め付けてクラブ支持体２０を固定する。
【００５１】
次に、この状態でクラブ支持体２０の保持部２１に、ゴルフクラブのシャフト１０１を設置すると共に、ゴルフクラブ１００のヘッド１０２のソール部分を、ヘッド支持台１０に接地させた状態とする。この際、ヘッド支持台１０は、第２基台３Ｂ上に移動可能に設置される第１可動台７によってトウ・ヒール方向に移動可能となっているため、ヘッド支持台１０を最適な位置にセットする。
【００５２】
そして、この状態で、加圧装置２３の加圧源２３ＡをＯＮにし、シャフト１０１をアーム２３ａのシャフト係止部２３ｂを介して保持部２１に押え付けることにより、ゴルフクラブ１００は、所定のライ角（設計値のライ角）で設置された状態となる。
【００５３】
次に、ヘッド支持台１０に載置されたヘッド１０２について、フェース面の中心の位置決めを行う。この中心の位置決めは、トウ・ヒール方向の位置決め、及び高さ方向の位置決めであり、いずれを先に実行しても良い。
【００５４】
トウ・ヒール方向の位置決めは、上記したトウ側支持機構１４を利用して行う。具体的には、上述したように、トウ側支持板６０を保持しているアーム６１の位置を、目盛り６７の所定位置（設計値に合わせた位置）にセットしておき、この状態で第３可動台９を摺動し、トウ側支持板６０をヘッド１０２のトウの縁部１０５に当接させる。この状態で、中央ピン５０は、フェース面１０３のトウ・ヒール方向の中心に位置付けされており、ヘッドのトウ・ヒール方向の位置が正確にセットされた状態となる。
【００５５】
また、上下方向の位置決めは、支柱３０に配設されている上下動ノブ３０ａを回転操作することで成される。上述したように、上下動ノブ３０ａを回転操作することで、支持体３２，３３，３４は、一体的に上下方向に移動するため、支持体３２に設けられた矢印（図示せず）と、支柱３０の表面に設けられた目盛り（図示せず）を見ながら、上下動ノブ３０ａを回転操作することにより、支持体３２，３３，３４の高さ位置が調整される。すなわち、設計値に合わせて支持体３２，３３，３４の高さ位置をセットすることで、中央ピン５０は、フェース面１０３の上下方向の中心に位置付けされる。そして、この状態で、係止ノブ３０ｂを締め付けることで、支持体３２，３３，３４の高さ位置が固定され、中央ピン５０は、上記したトウ・ヒール方向の位置決めと共に、正確にフェース面１０３の中心Ｃに位置付けされる。
【００５６】
次に、ヘッド支持台１０に載置されたヘッド１０２について、フェース面の位置の調整を行う。
【００５７】
この調整に際しては、最初に、支持体３２に設けられた前後動ノブ３２ａを回転操作することで、支持体３２に対して支持体３３を後方側に退避させておく。すなわち、支持体３４に設けられているサイドピン５１，５２の先端位置よりも、上下ピン３７，３６の先端位置が退避するように、支持体３３を後方側に移動させておく。
【００５８】
この状態で、第２可動台８をフェース側に向けて移動させ、サイドピン５１，５２の先端が、同時にヘッド支持台１０に載置されているヘッド１０２のフェース面１０３に当接するように、ヘッド１０２の向きを調整する。これにより、ヘッド支持台１０に載置されているヘッド１０２は、そのフェース面が０度（フェース角が０度）となるように設定される。
【００５９】
次に、バック側支持機構１５によって、バック側支持板７０をヘッド支持台１０に載置されているヘッド１０２のバックの縁部１０６に当接させ、ヘッドの後方向への移動を規制する。
【００６０】
そして、以上のようにセットされたヘッド１０２に対し、上記したロフト角測定装置１２によって、ロフト角の測定を行う。ヘッド支持台１０に載置されているヘッド１０２は、フェース面が０度となるように調整されており、かつ、中央ピン５０の位置で中心位置Ｃも特定されているため、上述した手順により、中央ピン５０の上下位置に配設された上下ピン３７，３６を用いてロフト角（リアルロフト角）を測定することが可能となる。
【００６１】
以上、上記した実施形態によれば、第２可動台８、及び支持体３４に設けられているサイドピン５１，５２によって、ヘッド支持台１０に載置されているヘッド１０２のフェース面１０３の位置を正確に位置合わせする（フェース角を０度に調整する）ことができるため、ヘッドのリアルロフト角を精度良く測定することが可能となる。
【００６２】
また、上記したように、正確にフェース面１０３の中心位置Ｃを設定した状態で、その中心位置の上下方向の２点を利用して（上下ピン３７，３６の差分を測定する）ロフト角を測定するため、目視による判断をする必要がなくなり、正確にロフト角を測定することが可能となる。
【００６３】
また、ロフト角を測定する際には、ヘッド支持台１０に載置されているヘッド１０２は、トウ側支持板６０によって、その位置が正確にセットされており、かつバック側支持板７０によって、上下ピン３７，３６を押し付けても後方側にずれることがない。また、サイドピン５１，５２によってフェース面が固定されるので、測定作業中にフェース向きが変化しない。その結果、ロフト角を精度良く測定できると共に、測定作業がし易くなり、測定時の作業効率を向上することが可能となる。すなわち、正確にヘッドの位置が規制されているため、ロフト角の測定時にヘッド１０２の状態が安定し、正確かつ容易にロフト角を測定することが可能となる。
【００６４】
以上、本発明の実施形態について説明したが、本発明は、上記した実施形態の構成に限定されることはなく、種々変形することが可能である。
【００６５】
上記した実施形態における操作手順は一例を述べたものであり、ゴルフクラブの設置からロフト角を測定するまでの操作順序については、適宜変形することが可能である。また、上記した実施形態では、ロフト角を測定することを例示したが、ライ角やフェース角等、各種の設計値を測定することも可能である。例えば、最初にロフト角を設計値となるようにヘッド１０２をセットしておくことで、最終的にライ角を計測したり、或いは、フェース角を計測する等、適宜、変形することが可能である。
【００６６】
また、上述した中央ピン５０を設けたことで、フェース面１０３の中央位置Ｃの具体的な設計値が不明であっても、フェース面１０３の中心位置に予めマーキングを施しておき、その位置に中央ピン５０を位置合わせすることで、各種の設計値を測定することも可能である。このため、ヘッドのフェース面の中心位置が、設計値として明確であれば、中央ピン５０は無くても良い。
【００６７】
また、上述した実施形態におけるフェース面位置調整機構や、ロフト角測定器については、機械的な構造体であるピン（平行突部５１，５２や測定突部３６，３７）を用いて構成したが、例えば光学的手段を用いた構成であっても良い。具体的には、ロフト角の測定については、フェース面１０３の中心位置Ｃの上下方向にレーザ光を照射し、その光路差を算出して計測するようにしても良い。
【００６８】
さらに、上述した実施形態における測定装置１において、ゴルフクラブの設置態様、ヘッドの設置態様、及びヘッドの規制方法については、適宜変形することが可能である。
【図面の簡単な説明】
【００６９】
【図１】本発明に係るゴルフクラブの測定装置の一実施形態を示す図であり、ゴルフクラブをセットした状態の正面図。
【図２】ゴルフクラブをトウ側から見た左側面図。
【図３】ロフト角測定装置部分の拡大平面図。
【図４】ロフト角測定装置部分の拡大斜視図。
【符号の説明】
【００７０】
１  測定装置
３  基台
５  ライ角測定装置
１０  ヘッド支持台
１２  ロフト角測定装置
１４  トウ側支持機構
１５  バック側支持機構
２０  クラブ支持体
３５  ロフト角測定器
６０  トウ側支持板
７０  バック側支持板
１００  ゴルフクラブ
１０１  シャフト
１０２  ヘッド
【図１】
2010035597.tif 000003
【図２】
2010035597.tif 000004
【図３】
2010035597.tif 000005
【図４】
2010035597.tif 000006